(57)【要約】【課題】ユーザーが発呼方式の設定を行わなくても短時間で通信端末装置が自動的に回線種別を判断することが可能な回線自動選択方式を提供する。【解決手段】加入電話回線の回線種別にはＰＢ、ＤＰ２０，ＤＰ１０の３種類がある。例えば端末装置の発呼方式の初期値をＰＢとする。端末装置は、加入電話回線に対してＰＢ方式で発呼を行う。加入電話回線の回線種別がＰＢであれば正常に発呼し、相手側の装置を呼び出すことができる。加入電話回線の回線種別がＰＢで無い場合は、相手を呼び出すことができずモデムの「相手無応答のエラ−コ−ド」が発生する。本エラ−コ−ドが発生した場合は、端末装置の発呼方法を予め定められた順番により変えて（例えばＤＰ２０にして）再度、回線に対して発呼動作を行う。【選択図】　図２
2004064362.tif 000002
【特許請求の範囲】
【請求項１】
通信回線に対し複数の種別で発呼可能なＮＣＵと、送受信すべきデータを変調・復調するモデムとを備えた回線自動選択方式において、前記ＮＣＵは発呼に対する応答がない時に前記モデムから送出されるエラーコードを受信すると別の種別の発呼方式を選択して発呼することを特徴とする回線自動選択方式。
【請求項２】
通信回線に対し複数の種別で発呼可能なＮＣＵと、送受信すべきデータを変調・復調するモデムとを備えた回線自動選択方式において、複数の発呼方式を記憶する記憶部を備え、前記ＮＣＵは前記記憶部に記憶されている複数の発呼方式から１つの発呼方式を選択して発呼を行い、発呼に対する応答がない時に前記モデムから送出されるエラーコードを受信すると前記記憶部から別の種別の発呼方式を選択して発呼することを特徴とする回線自動選択方式。
【請求項３】
前記ＮＣＵは発呼に対する応答を受信すると選択した発呼方式により発呼動作を実行することを特徴とする請求項１または２記載の回線自動選択方式。
【請求項４】
前記ＮＣＵが選択した全ての発呼方式に対して応答がない場合に被呼者側通信端末装置が前記通信回線に接続されていないことを示すメッセージを表示する表示部を備えることを特徴とする請求項１乃至３記載の回線自動選択方式。
【発明の詳細な説明】
【０００１】
【発明の属する技術分野】
本発明は、通信回線に対して複数の種別で発呼するＮＣＵ回路を有する回線自動選択方式に関し、特に通信回線に対する適切な発呼方法を自動的に選択する回線自動選択方式に関する。
【０００２】
【従来の技術】
従来のこの種の回線自動選択方式が、例えば、特開平４−３５４２３３号公報に記載されている。図３は、特開平４−３５４２３３号公報に記載された従来の回線自動選択方式の構成を示すブロック図である。この従来技術では、通常の電話機同様に、着信検出回路３０と、ブザー３１と、スピーチネットワーク回路３２と、ハンドセット３３と、ＰＢ／ＤＰ発生回路３４と、発信音検知回路３５と、ＣＰＵ３６と、表示装置３７とを備えている。
【０００３】
ＤＰ発生回路３４からスイッチによって選定された回転ダイヤル式（ＤＰ）もしくは押しボタン・ダイヤル方式（ＰＢ）で選択数字信号（電話番号）が送出されてから所定時間経過後に、局から供給される発信音を発信音検知回路３５で検知したときに呼び出し音もしくは話中音が検知されなければ、表示装置３７のＬＥＤ点滅や、ＬＣＤによる「回線不一致」等の文章表示が行われる。これによって操作者は正しいダイヤル方式の側に切り換えスイッチを切り換える。
【０００４】
また、他の従来の回線自動選択方式が、特開平４−２５６２７０号公報に記載されている。図４は、特開平４−２５６２７０号公報に記載された従来の回線自動選択方式の動作を示すフローチャート図である。特開平４−２５６２７０号公報記載の従来技術では、まず、記憶部には発呼方式の初期値としてプッシュ方式が記憶されており（ステップ４０２）、プッシュ方式によって発呼する（ステップ４０３）。
【０００５】
そして、回線から応答（呼び出し音もしくは話中音）があれば通常のモデム処理を終了させ（ステップ４０５）、発呼方式はプッシュ方式のまま記憶部へ記憶される（ステップ４１２）。また、回線からの応答がなければダイヤルパルス２０方式を選択して発呼を行い（ステップ４０６）、応答があれば記憶部の発呼方式をダイヤルパルス２０方式に設定する（ステップ４１２）。
【０００６】
さらに、応答がない場合はダイヤルパルス１０方式を選択して発呼を行い（ステップ４０９）、応答があれば記憶部の発呼方式をダイヤルパルス１０方式に設定する（ステップ４１２）。どの発呼方式を選択しても応答がない場合は、エラーを通知する（ステップ４１３）。
【０００７】
【発明が解決しようとする課題】
上述した従来技術は、双方とも、回線に対して発呼し、正しい発呼方式で発呼した場合に回線（局）から供給される発信音を検出し、その検出の有無により正しい発呼方式を選択しているため、適切な発呼方式が選択されているか否かを判断するまでに時間がかかるという問題点があった。
【０００８】
また、特開平４−３５４２３３号公報記載の従来技術では回線からの応答を検出するために独自の発信音検出回路が必要となるという問題点があった。
【０００９】
また、特開平４−３５４２３３号公報記載の従来技術では、例えば事務所等のの移転により、今まで契約していた回線種別と異なる回線種別を契約している場所へ装置を移転させた場合に、ユーザーが切り換えスイッチを操作して回線種別の設定を行わなければならないという問題点があった。
【００１０】
本発明は上記問題に鑑みてなされたものであって、本発明は、ユーザーが発呼方式の設定を行わなくても短時間で通信端末装置が自動的に回線種別を判断することが可能な回線自動選択方式を提供することを目的とする。
【００１１】
また、本発明の他の目的は、モデムの標準的な機能によって、短時間で自動的に回線種別を判断することが可能な回線自動選択方式を提供することである。
【００１２】
【課題を解決するための手段】
本発明の回線自動選択方式は、通信回線に対し複数の種別で発呼可能なＮＣＵと、送受信すべきデータを変調・復調するモデムとを備えた回線自動選択方式において、前記ＮＣＵは発呼に対する応答がない時に前記モデムから送出されるエラーコードを受信すると別の種別の発呼方式を選択して発呼することを特徴とする
【００１３】
【発明の実施の形態】
次に本発明の実施形態について図面を参照して詳細に説明する。図１は、本発明の回線自動選択方式の構成を示すブロック図である。本実施形態の回線自動選択方式は、図１に示すような一般的なファクシミリ端末装置によって実現されている。
【００１４】
まず始めに、ファクシミリ端末装置の基本的な送信動作について説明する。スキャナ１により送信する原稿の読み取りを行い、読み取られた画像データは読み取り制御部２でデータ圧縮され、制御部４により画像蓄積メモリ８へ格納される。次に、読み取った画像データを相手機へ送信するため、加入電話回線７にダイヤル番号発呼動作を行う。操作部１１から入力されたダイヤル番号を記憶部３に格納されている発呼方式に従って発呼する。発呼動作は通信制御部（モデム）５によって行われ、回線制御部（ＮＣＵ）６を介して、加入電話回線７へ発呼される。
【００１５】
発呼動作により相手機へ接続されると、画像蓄積メモリ８に格納されている画像データを加入電話回線７へ送出するため、通信制御部（モデム）５により画像データを通信符号化する。通信符号化された画像データは、通信制御部（モデム）５により、回線制御部（ＮＣＵ）６を介して、加入電話回線７へ送出される。画像データの送出が完了すると回線制御部（ＮＣＵ）６により回線を閉結し、送信動作を完了する。
【００１６】
次に、本実施形態の特徴的な動作について図面を参照して詳細に説明する。図２は、本実施形態の動作を示すフローチャート図である。ユーザーの送信動作等により加入電話回線に対して発呼要求が発生すると（ステップ１０１）、記憶部３に記憶されている発呼方式をサーチし（ステップ１０２）、選択されている発呼方式により発呼動作を行う（ステップ１０３）。なお、本実施形態では、記憶部３には予めＰＢ、ＤＰ２０、ＤＰ１０の３つの発呼方式が格納されており、初期値として選択されている発呼方式はＰＢとする。
【００１７】
次に、加入電話回線に対して発呼動作を行った結果、正常に発呼できたかを確認する（ステップ１０４）。ここで、正常に発呼できないということは、通信制御部（モデム）５の「相手無応答のエラーコード発生」を意味する。正常に発呼できた場合、通信制御部（モデム）５はモデム処理を行い（ステップ１０５）、処理が正常に終了すると（ステップ１０６）、待機状態へ戻り再び発呼要求を待つ。
【００１８】
また、ステップ１０４で発呼が正常に動作できない場合、すなわち通信制御部（モデム）５で相手無応答のエラーコードが発生した場合は、発呼方式をＰＢに設定して発呼を行う（ステップ１０７）。ここで正常に発呼が行われた場合は（ステップ１０８）、記憶部３に選択される発呼方式をＰＢに設定し（ステップ１０９）、モデム処理を行う（ステップ１０５）。
【００１９】
また、ステップ１０８で発呼が正常に動作できない場合は、発呼方式をＤＰ２０に設定して発呼を行う（ステップ１１０）。ここで正常に発呼が行われた場合は（ステップ１１１）、記憶部３に選択される発呼方式をＤＰ２０に設定し（ステップ１１２）、モデム処理を行う（ステップ１０５）。
【００２０】
また、ステップ１１１で発呼が正常に動作できない場合は、発呼方式をＤＰ１０に設定して発呼を行う（ステップ１１３）。ここで正常に発呼が行われた場合は（ステップ１１４）、記憶部３に選択される発呼方式をＤＰ１０に設定し（ステップ１１５）、モデム処理を行う（ステップ１０５）。
【００２１】
また、全ての発呼方式で回線に発呼して正常に発呼できない場合（全てモデム相手無応答のエラーコード発生）、相手側装置が回線に接続されていないと判断し、表示部１２に「装置が回線に接続されていません」等のエラーメッセージを表示する（ステップ１１６）。
【００２２】
【発明の効果】
本発明によれば、適切な通信方式を短時間で自動的に選択して設定することができるので、ユ−ザ−は自己が契約している加入電話回線の回線種別を意識せずに装置を使用することができる。
【００２３】
また、本発明によれば、特別な回路を必要としないので、コストの削減を図ることができる。
【図面の簡単な説明】
【図１】本発明の実施形態の構成を示すブロック図である。
【図２】本発明の実施形態の動作を示すフローチャート図である。
【図３】従来技術の一例を示すブロック図である。
【図４】従来技術の他例を示すフローチャート図である。
【符号の説明】
１　　スキャナ
２　　読み取り制御部
３　　記憶部
４　　制御部
５　　通信制御部（モデム）
６　　回線制御部（ＮＣＵ）
７　　加入電話回線
８　　画像蓄積メモリ
９　　プリンタ制御部
１０　　プリンタ
１１　　操作部
１２　　表示部
【図１】
2004064362.tif 000003
【図２】
2004064362.tif 000004
【図３】
2004064362.tif 000005
【図４】
2004064362.tif 000006